(57)【要約】【課題】  サスペンションを支持するために必要なサスペンションメンバ全体の剛性を確保しつつ、サスペンションメンバを軽量化することが可能なサスペンション構造を提供する【解決手段】  サスペンションメンバ１２は、左右一対のサイドメンバ１４の車両後方側をクロスメンバ１６によって連結支持することにより構成されており、軽量化のために、左右一対のサイドメンバ１４の車両前方側を連結支持するクロスメンバ３２を省いた構成とされている。スタビライザ２２は、左右一対のサイドメンバ１４の車両前方側にベアリング部材２８を介して回動自在に連結されたスタビライザ本体２４を有している。このスタビライザ本体２４によって左右一対のサイドメンバ１４の車両前方側が連結支持されることにより、サスペンションを支持するために必要なサスペンションメンバ１２全体の剛性が確保されている。【選択図】  図１
2006282004.tif 000002
【特許請求の範囲】
【請求項１】
車両前後方向に延びる左右一対のサイドメンバの一端側を車両幅方向に延びるクロスメンバによって連結支持することにより構成されたサスペンションメンバと、
前記左右一対のサイドメンバの一方から他方へ延びると共に前記左右一対のサイドメンバの他端側のそれぞれに軸方向の移動を阻止し回転を許容する軸受手段を介して回動自在に連結されたスタビライザ本体を有し、前記スタビライザ本体によって前記左右一対のサイドメンバの他端側を連結支持するクロスメンバの機能を果たすようにしたスタビライザと、
を備えたことを特徴とするサスペンション構造。
【請求項２】
前記左右一対のサイドメンバの他端側には、前記左右一対のサイドメンバを車体へ支持するための支持部が設けられ、
前記スタビライザ本体は、前記左右一対のサイドメンバにおける前記支持部の近傍位置に連結されていることを特徴とする請求項１に記載のサスペンション構造。
【請求項３】
前記スタビライザには、前記スタビライザ本体の車両幅方向両端側に左右一対のアーム部が設けられ、
前記スタビライザ本体と、前記左右一対のアーム部とは、別体で構成されていることを特徴とする請求項１又は請求項２に記載のサスペンション構造。
【発明の詳細な説明】
【技術分野】
【０００１】
本発明は、サスペンション構造に係り、特に、サスペンションメンバにスタビライザが設けられたサスペンション構造に関する。
【背景技術】
【０００２】
乗用自動車等の車両に備えられたサスペンション構造には、サスペンションを支持するためのサスペンションメンバが設けられており、このサスペンションメンバには、車両旋回時における車体のロールを抑制するためのスタビライザが設けられている（例えば、特許文献１参照）。
【０００３】
以下、特許文献１に記載の例に基づいて、従来のサスペンション構造について説明する。従来のサスペンション構造に設けられたサスペンションメンバは、特許文献１に示されるように、車両前後方向に延在する左右一対のサイドメンバと、この左右一対のサイドメンバの前後端部間をそれぞれ連結する前後一対のクロスメンバとから構成されている。
【０００４】
スタビライザは、車幅方向中央側に形成され車幅方向に延在するスタビライザ本体と、このスタビライザ本体の両端部に連続して形成され車両前後方向前方に延びる左右一対のアーム部とから構成されており、スタビライザ本体は、左右一対のサイドメンバにブラケットにより支持されている。
【特許文献１】特開２００１−１７１３２６公報（図１）
【発明の開示】
【発明が解決しようとする課題】
【０００５】
一般に、車両のサスペンション構造においては、燃費の向上若しくは操縦性の向上等の観点から軽量化が課題となっている。ここで、従来のサスペンション構造について軽量化を図る一例としては、サスペンションメンバのうち前後一対のクロスメンバのいずれかを省くことが考えられる。
【０００６】
ところが、このように、サスペンションメンバのうち前後一対のクロスメンバのいずれかを省いた場合には、サスペンションメンバにおいてサスペンションを支持するために必要な剛性を確保することが困難となる。
【０００７】
このため、一本のクロスメンバで左右一対のサイドメンバを支持するようにする場合には、サスペンションメンバにおいてサスペンションを支持するために必要な剛性を確保できるように、クロスメンバに特殊な設計を施したり補強材を追加したりする手間が生じる。
【０００８】
このように、サスペンション構造の開発現場では、サスペンションメンバを軽量化しつつ、サスペンションを支持するために必要なサスペンションメンバ全体の剛性を確保することが可能なサスペンション構造の開発が課題となっていた。
【０００９】
さらに、従来のサスペンション構造では、スタビライザ本体の左右一対のサイドメンバへの取付位置が、左右一対のサイドメンバの車体への取付位置から離れていた。
【００１０】
このため、左右一対のサイドメンバに対するスタビライザの取付剛性が十分に確保されておらず、車輪側からスタビライザに負荷が加わったときに、この負荷によって左右一対のサイドメンバにおけるスタビライザの取付部が変位してしまうことがあった。
【００１１】
これにより、スタビライザから車輪側への捩れ力の伝達にロスが生じ、スタビライザの捩れ力が車輪側へ十分に伝達されないことによって、スタビライザ本来の機能である車体のロールを抑制する機能が十分に発揮されないことがあった。
【００１２】
なお、サスペンション構造においては、サスペンションメンバへのスタビライザの組み付け性が容易であることが望ましい。
【００１３】
本発明は、上記事情に鑑みてなされたものであって、その目的は、サスペンションメンバを軽量化しつつ、サスペンションを支持するために必要なサスペンションメンバ全体の剛性を確保することが可能なサスペンション構造を提供することにある。
【００１４】
また、本発明の他の目的は、スタビライザから車輪側への捩れ力の伝達ロスを従来に比して低減することにより、スタビライザの捩れ力が車輪側へ十分に伝達され、これによって、スタビライザ本来の機能である車体のロールを抑制する機能を十分に発揮させることが可能なサスペンション構造を提供することにある。
【００１５】
さらに、本発明の他の目的は、サスペンションメンバへのスタビライザの組み付け性が良好なサスペンション構造を提供することにある。
【課題を解決するための手段】
【００１６】
前記課題を解決するために、請求項１に記載のサスペンション構造は、車両前後方向に延びる左右一対のサイドメンバの一端側を車両幅方向に延びるクロスメンバによって連結支持することにより構成されたサスペンションメンバと、前記左右一対のサイドメンバの一方から他方へ延びると共に前記左右一対のサイドメンバの他端側のそれぞれに軸方向の移動を阻止し回転を許容する軸受手段を介して回動自在に連結されたスタビライザ本体を有し、前記スタビライザ本体によって前記左右一対のサイドメンバの他端側を連結支持するクロスメンバの機能を果たすようにしたスタビライザと、を備えたことを特徴とする。
【００１７】
請求項１に記載のサスペンション構造によれば、サスペンションメンバは、車両前後方向に延びる左右一対のサイドメンバの一端側を車両幅方向に延びるクロスメンバによって連結支持することにより構成されている。つまり、左右一対のサイドメンバの他端側を連結支持するクロスメンバを省いた構成とされている。
【００１８】
これにより、左右一対のサイドメンバの両端側を一対のクロスメンバによって連結支持する従来の構成に比して、サイドメンバが軽量化される。
【００１９】
また、請求項１に記載のサスペンション構造において、スタビライザは、左右一対のサイドメンバの一方から他方へ延びると共に左右一対のサイドメンバの他端側のそれぞれに軸方向の移動を阻止し回転を許容する軸受手段を介して回動自在に連結されたスタビライザ本体を有している。
【００２０】
そして、このスタビライザ本体によって、左右一対のサイドメンバの他端側を連結支持するクロスメンバの機能が果たされるようになっている。
【００２１】
つまり、スタビライザは、従前のスタビライザ本来の機能を発揮する一方で、左右一対のサイドメンバに対しては、左右一対のサイドメンバの他端側のそれぞれに軸受手段を介してスタビライザ本体が連結されることにより、従前のクロスメンバの如く左右一対のサイドメンバを連結支持する。
【００２２】
従って、請求項１に記載のサスペンション構造では、左右一対のサイドメンバの一端側を連結支持するクロスメンバに特殊な設計を施したり補強材を追加したりすることなく、サスペンションを支持するために必要なサスペンションメンバ全体の剛性が十分に確保される。
【００２３】
このように、請求項１に記載のサスペンション構造によれば、左右一対のサイドメンバの他端側を連結支持するクロスメンバを省くことによって、サスペンションメンバを軽量化しつつ、省いたクロスメンバの代わりにスタビライザ本体で左右一対のサイドメンバの他端側を連結支持することによって、サスペンションを支持するために必要なサスペンションメンバ全体の剛性を確保することが可能となる。
【００２４】
請求項２に記載の発明は、請求項１に記載のサスペンション構造において、前記左右一対のサイドメンバの他端側には、前記左右一対のサイドメンバを車体へ支持するための支持部が設けられ、前記スタビライザ本体は、前記左右一対のサイドメンバにおける前記支持部の近傍位置に連結されていることを特徴とする。
【００２５】
請求項２に記載のサスペンション構造によれば、スタビライザ本体は、左右一対のサイドメンバにおける支持部の近傍位置に連結されているので、従来のように支持部から離れた位置にスタビライザ本体を連結する構成に比して、左右一対のサイドメンバに対するスタビライザの取付剛性を高めることができる。
【００２６】
従って、車輪側からの負荷によって左右一対のサイドメンバにおけるスタビライザの取付部が変位する量を従来に比して抑制することができるので、スタビライザから車輪側への捩れ力の伝達ロスを従来に比して低減することができる。
【００２７】
これにより、スタビライザの捩れ力が車輪側へ十分に伝達されるので、スタビライザ本来の機能である車体のロールを抑制する機能を十分に発揮させることが可能となる。
【００２８】
請求項３に記載の発明は、請求項１又は請求項２に記載のサスペンション構造において、前記スタビライザには、前記スタビライザ本体の車両幅方向両端側に左右一対のアーム部が設けられ、前記スタビライザ本体と、前記左右一対のアーム部とは、別体で構成されていることを特徴とする。
【００２９】
請求項３に記載のサスペンション構造のように、スタビライザ本体と、スタビライザ本体の車両幅方向両端側に設けられた左右一対のアーム部とが別体で構成されていると、スタビライザ本体を左右一対のサイドメンバに取り付けてから、このスタビライザ本体に左右一対のアーム部を取り付けることが可能となる。
【００３０】
これにより、サスペンションメンバへのスタビライザの取り付けスペースが狭い場合でも、サスペンションメンバへのスタビライザの組み付け性が良好となる。
【発明の効果】
【００３１】
以上詳述したように、請求項１に記載のサスペンション構造によれば、左右一対のサイドメンバの他端側を連結支持するクロスメンバを省くことによって、サスペンションメンバを軽量化しつつ、省いたクロスメンバの代わりにスタビライザ本体で左右一対のサイドメンバの他端側を連結支持することによって、サスペンションを支持するために必要なサスペンションメンバ全体の剛性を確保することが可能となる。
【００３２】
また、請求項２に記載のサスペンション構造によれば、スタビライザから車輪側への捩れ力の伝達ロスを従来に比して低減することができる。これにより、スタビライザの捩れ力が車輪側へ十分に伝達されるので、スタビライザ本来の機能である車体のロールを抑制する機能を十分に発揮させることが可能となる。
【００３３】
さらに、請求項３に記載のサスペンション構造によれば、スタビライザ本体を左右一対のサイドメンバに取り付けてから、このスタビライザ本体に左右一対のアーム部を取り付けることが可能となる。これにより、サスペンションメンバへのスタビライザの取り付けスペースが狭い場合でも、サスペンションメンバへのスタビライザの組み付け性が良好となる。
【発明を実施するための最良の形態】
【００３４】
以下、本発明の一実施形態について、図を参照して説明する。なお、以下に説明する部材、配置等は、本発明を限定するものではなく、本発明の趣旨に沿って各種改変することができることは勿論である。
【００３５】
［第一実施形態］
はじめに、図１を参照しながら、本発明の第一実施形態に係るサスペンション構造１０の構成について説明する。
【００３６】
本発明の第一実施形態に係るサスペンション構造１０は、例えば、乗用自動車等の車両に好適に用いられるものであり、サスペンションメンバ１２を有して構成されている。
【００３７】
サスペンションメンバ１２には、車両前後方向に延びる左右一対のサイドメンバ１４が設けられており、左右一対のサイドメンバ１４の車両後方側は、車両幅方向に延びるクロスメンバ１６によって連結支持されている。
【００３８】
また、左右一対のサイドメンバ１４の両端側（車両前方側および後方側）には、この左右一対のサイドメンバ１４を不図示の車体へ支持するための支持部１８，２０が設けられている。
【００３９】
そして、本実施形態において、左右一対のサイドメンバ１４の車両前方側には、スタビライザ２２が設けられている。
【００４０】
スタビライザ２２の車両幅方向中央側には、左右一対のサイドメンバ１４の一方から他方へ車両幅方向に沿って直線状に延びるスタビライザ本体２４が形成されており、スタビライザ２２の車両幅方向両側には、スタビライザ本体２４と連続し車両斜め後方へ延びる左右一対のアーム部２６が形成されている。
【００４１】
そして、スタビライザ本体２４は、左右一対のサイドメンバ１４における支持部２０の近傍位置（本実施形態では、その一例として、左右一対のサイドメンバ１４に設けられた各支持部２０を結ぶ仮想線Ｌを平面視したときに、この仮想線Ｌ上の位置で左右一対のサイドメンバ１４の裏側位置）に連結されている。
【００４２】
このとき、スタビライザ本体２４は、左右一対のサイドメンバ１４の裏側に一対の軸受手段としてのベアリング部材２８（ベアリング部材２８は不図示のブラケットによりサイドメンバ１４に固定）を介して回動自在に連結されると共に、一対のブラケット３０により支持されている。
【００４３】
ベアリング部材２８は、スタビライザ本体２４の軸方向の移動を阻止し、且つ、回転を許容するものである。
【００４４】
これにより、スタビライザ２２は、左右両側の車輪に対して上下方向に同相の力が作用した場合には、この左右両側の車輪の上下方向への動きに合わせて回動し、いわゆるフリー状態となる。
【００４５】
さらに、スタビライザ２２は、左右両側の車輪に対して上下方向に逆位相の力が作用した場合には、この左右両側の車輪の上下方向への動きに合わせて捩れ力を発生する。このように、スタビライザ２２は、従前の如くスタビライザ本来の機能を発揮する。
【００４６】
また、スタビライザ２２は、上述のように従前のスタビライザ本来の機能を発揮する一方で、左右一対のサイドメンバ１４に対しては、左右一対のサイドメンバ１４の車両前方側のそれぞれにベアリング部材２８を介してスタビライザ本体２４が連結されることにより、従前のクロスメンバ３２（二点鎖線で示す）の如く左右一対のサイドメンバ１４の車両前方側を連結支持する。
【００４７】
つまり、スタビライザ本体２４は、左右一対のサイドメンバ１４の車両前方側に車両幅方向へ互いに異なる向きに力が作用する場合には、左右一対のサイドメンバ１４の車両前方側端の車両幅方向への変形を抑制するように軸力を伝達し左右一対のサイドメンバ１４を支持する。
【００４８】
また、スタビライザ本体２４は、左右一対のサイドメンバ１４の車両前方側に対して車両上下方向へ互いに異なる向きに力が作用する場合には、左右一対のサイドメンバ１４の車両前方側端の車両上下方向への変形を抑制するように左右一対のサイドメンバ１４を支持する。
【００４９】
このように、スタビライザ本体２４によって、左右一対のサイドメンバ１４の車両前方側を連結支持するクロスメンバ３２の機能が果たされるようになっている。
【００５０】
次に、本発明の第一実施形態に係るサスペンション構造１０の作用および効果について説明する。
【００５１】
本実施形態に係るサスペンション構造１０によれば、サスペンションメンバ１２は、左右一対のサイドメンバ１４の車両前方側を連結支持するクロスメンバ３２を省いた構成とされている。
【００５２】
これにより、左右一対のサイドメンバ１４の両端側を一対のクロスメンバ１６，３２によって連結支持する構成に比して、サイドメンバ１４が軽量化される。
【００５３】
また、本実施形態に係るサスペンション構造１０では、スタビライザ本体２４によって、左右一対のサイドメンバ１４の車両前方側を連結支持している。
【００５４】
つまり、スタビライザ２２は、従前のスタビライザ本来の機能を発揮する一方で、左右一対のサイドメンバ１４に対しては、従前のクロスメンバ３２の如く左右一対のサイドメンバ１４の車両前方側を連結支持する。
【００５５】
従って、本実施形態に係るサスペンション構造１０では、左右一対のサイドメンバ１４の車両後方側を連結支持するクロスメンバ１６に特殊な設計を施したり補強材を追加したりすることなく、サスペンションを支持するために必要なサスペンションメンバ１２全体の剛性が十分に確保される。
【００５６】
このように、本実施形態に係るサスペンション構造１０によれば、左右一対のサイドメンバ１４の車両前方側を連結支持するクロスメンバ３２を省くことによって、サスペンションメンバ１２を軽量化しつつ、省いたクロスメンバ３２の代わりにスタビライザ本体２４で左右一対のサイドメンバ１４の車両前方側を連結支持することによって、サスペンションを支持するために必要なサスペンションメンバ１２全体の剛性を確保することが可能となる。
【００５７】
さらに、本実施形態に係るサスペンション構造１０によれば、上述の如く左右一対のサイドメンバ１４の車両前方側を連結支持するクロスメンバ３２を省いた構成とすることにより、スタビライザ本体２４の形状がクロスメンバ３２の配置位置によって制約を受けることがない。
【００５８】
従って、スタビライザ本体２４を、例えば、直線状ではなく湾曲形状や屈曲形状とするなど、スタビライザ本体２４の設計の自由度を従来に比して高めることが可能となる。
【００５９】
なお、本実施形態のように、スタビライザ本体２４が直線状に構成されていると、湾曲形状や屈曲形状に構成されている場合に比して、スタビライザ２２の可動領域を少なくすることができる。つまり、必要な可動スペースを大幅縮小できる。これにより、サスペンション構造１０の小型化、軽量化を図ることができる。
【００６０】
また、上述のように、スタビライザ本体２４を直線状として必要な可動スペースを大幅縮小することにより、干渉問題が解消し、衝突性能に影響を及ぼすサスペンションメンバ１２の設計の自由度を高めることができる。
【００６１】
さらに、本実施形態のように、スタビライザ本体２４が直線状に構成されていると、湾曲形状や屈曲形状に構成されている場合に比して、スタビライザ２２のサスペンションメンバ１２への脱着を容易に行うことが可能となる。
【００６２】
そして、本実施形態に係るサスペンション構造１０によれば、スタビライザ本体２４は、左右一対のサイドメンバ１４における支持部２０の近傍位置に連結されているので、支持部２０から離れた位置にスタビライザ本体２４を連結する構成に比して、左右一対のサイドメンバ１４に対するスタビライザ２２の取付剛性を高めることができる。
【００６３】
従って、車輪側からの負荷によって左右一対のサイドメンバ１４におけるスタビライザ２２の取付部周辺が弾性変形することによって生じる取付部変形量を従来に比して抑制することができるので、スタビライザ２２から車輪側への捩れ力の伝達ロスを従来に比して低減することができる。
【００６４】
これにより、スタビライザ２２の捩れ力が車輪側へ十分に伝達されるので、スタビライザ本来の機能である車体のロールを抑制する機能を十分に発揮させることが可能となる。
【００６５】
また、上述のように、スタビライザ本来の機能である車体のロールを抑制する機能を十分に発揮させることにより、結果としてロールを抑制する機能を十分に発揮できる範囲内でスタビライザ２２の径を小さくすることが可能となる。これにより、サスペンション構造１０のさらなる小型化、軽量化が図れる。
【００６６】
なお、本実施形態では、スタビライザ本体２４がベアリング部材２８によって軸方向の移動を阻止されると共に回転を許容されるようになっていたが、スタビライザ本体２４の軸方向の移動を阻止すると共に回転を許容できる構成であれば、ベアリング部材２８以外の構成が用いられていても良い。
【００６７】
［第二実施形態］
次に、本発明の第二実施形態に係るサスペンション構造３４について説明する。
【００６８】
本発明の第二実施形態に係るサスペンション構造３４において、スタビライザ３６は、スタビライザ本体２４と、左右一対のアーム部２６と、連結部材３８とを有して構成されている。
【００６９】
スタビライザ本体２４の車両幅方向両端部２４Ａには、図３に示されるように、周方向に凸部４０が複数形成されている。
【００７０】
また、連結部材３８には、図４に示されるように、軸方向に貫通する貫通孔４２が形成されており、この貫通孔４２には、周方向に凹部４４が複数形成されている。
【００７１】
そして、スタビライザ本体２４と連結部材３８とは、スタビライザ本体２４の車両幅方向両端部２４Ａが連結部材３８の貫通孔４２に挿入された状態で、凸部４０と凹部４４とが嵌合されることにより連結されるようになっている。
【００７２】
同様に、アーム部２６の車両幅方向中央側の端部２６Ａには、図５に示されるように、周方向に凸部４６が複数形成されている。
【００７３】
そして、アーム部２６と連結部材３８とは、アーム部２６の車両幅方向中央側の端部２６Ａが連結部材３８の貫通孔４２に挿入された状態で、凸部４６と凹部４４とが嵌合されることにより連結されるようになっている。
【００７４】
また、連結部材３８は、左右一対のサイドメンバ１４の裏側に一対のベアリング部材２８を介して連結されるようになっている。
【００７５】
このように、本実施形態では、スタビライザ本体２４と左右一対のアーム部２６とは、別体で構成されている。
【００７６】
このとき、スタビライザ本体２４とアーム部２６とを異なる径や異なる材質にしても良い。例えば、スタビライザ本体２４を、左右一対のアーム部２６と同一の材質で左右一対のアーム部２６よりも大径に構成することが可能である。
【００７７】
この場合には、スタビライザ本体２４は、左右一対のサイドメンバ１４の他端側を連結支持するのに必要な径で構成され、左右一対のアーム部２６は、車体のロール角度を一定に維持したり車体の横揺れを抑制したりする効果を発揮するのに必要な径で構成されていることが望ましい。また、スタビライザ本体２４とアーム部２６とを異なる断面形状としても良い。
【００７８】
なお、本発明の第二実施形態において、本発明の第一実施形態に係る構成と同一の構成については同一符号を用いることとしてその説明を省略する。
【００７９】
次に、本発明の第二実施形態に係るサスペンション構造３４の作用および効果について説明する。
【００８０】
本発明の第二実施形態に係るサスペンション構造３４のように、スタビライザ３６が、スタビライザ本体２４と、左右一対のアーム部２６と、連結部材３８とから構成される別体構造となっていると、スタビライザ本体２４および連結部材３８を左右一対のサイドメンバ１４に取り付けてから、スタビライザ本体２４に連結部材３８を用いて左右一対のアーム部２６を取り付けることが可能となる。
【００８１】
これにより、サスペンションメンバ１２へのスタビライザ３６の取り付けスペースが狭い場合でも、サスペンションメンバ１２へのスタビライザ３６の組み付け性が良好となる。
【００８２】
また、本発明の第二実施形態に係るサスペンション構造３４のように、スタビライザ本体２４と左右一対のアーム部２６とが別体構造となっていると、スタビライザ本体２４とアーム部２６とを異なる径や異なる材質や異なる断面形状等にすることができる。
【００８３】
このように、スタビライザ本体２４と左右一対のアーム部２６とを別体構造とすることにより、スタビライザ３６における設計の自由度を向上させることができる。
【００８４】
なお、本発明の第二実施形態において、本発明の第一実施形態に係る構成と同一の構成に伴う作用効果については上記第一実施形態を参照することとしてその説明を省略する。
【００８５】
次に、本発明の第二実施形態に係るサスペンション構造３４の変形例について説明する。
【００８６】
本発明の第二実施形態では、スタビライザ本体２４およびアーム部２６と、連結部材３８とが別体で構成されていたが、スタビライザ本体２４およびアーム部２６のいずれかと、連結部材３８とが一体に構成されていても良い。
【００８７】
また、本発明の第二実施形態では、スタビライザ本体２４が、断面円形状に構成されていたが、断面四角状や断面多角形状に構成されていても良い。
【図面の簡単な説明】
【００８８】
【図１】図１は本発明の第一実施形態に係るサスペンション構造の構成を示す斜視図である。
【図２】図２は本発明の第二実施形態に係るサスペンション構造の構成を示す斜視図である。
【図３】図３は図２に示されるスタビライザ本体のＡ−Ａ断面図である。
【図４】図４は図２に示される連結部材のＢ−Ｂ断面図である。
【図５】図５は図２に示されるアーム部のＣ−Ｃ断面図である。
【符号の説明】
【００８９】
１０，３４  サスペンション構造
１２  サスペンションメンバ
１４  サイドメンバ
１６  クロスメンバ
１８，２０  支持部
２２，３６  スタビライザ
２４  スタビライザ本体
２６  アーム部
２８  ベアリング部材（軸受手段）
【図１】
2006282004.tif 000003
【図２】
2006282004.tif 000004
【図３】
2006282004.tif 000005
【図４】
2006282004.tif 000006
【図５】
2006282004.tif 000007